(57)【要約】【課題】  折り畳んだ状態のコンテナを最もコンパクトな形にして一回の運送でより多くのコンテナを移動できる折り畳み式コンテナを提供することにある。【解決手段】  略矩形の平板状部材からなる底板２と、底板２の四周から立設される側板３ａ、３ｂ、４ａ、４ｂとを有する折り畳み式コンテナであって、側板３ａ、３ｂ、４ａ、４ｂはそれぞれ相異なる高さで折り畳みできるとともに、底板２上に積み重ね可能に形成されている。また、折り畳み時に最上方に積み重ねられる側板３ａは、自立可能に形成されるものである。【選択図】  図１
2005335745.tif 000002
【特許請求の範囲】
【請求項１】
略矩形の平板状部材からなる底板と、前記底板の四周から立設される側板とを有し、前記側板はそれぞれ相異なる高さで折り畳みできるとともに、前記底板上に積み重ね可能に形成されていることを特徴とする折り畳み式コンテナ。
【請求項２】
折り畳み時に最上方に積み重ねられる側板は、自立可能に形成されるものであることを特徴とする請求項１に記載の折り畳み式コンテナ。
【発明の詳細な説明】
【技術分野】
【０００１】
本発明は、折り畳み式コンテナに関するものである。
【背景技術】
【０００２】
従来の折り畳み式コンテナとしては、パレットと、このパレット上に載置された通気性底板と、パレット上に立設される複数の側板とを有し、少なくとも一つの側板が通気性を有するものが知られている。このものにあっては、コンテナ内部の収納品を外気に十分接触させることができるように通気性が確保され、静電気の発生等を防止することができる（引用文献１）。
【０００３】
また、フレーム、底板、中折れ側板及び一体側板からなり、コンテナと一体に形成された係合片と係合孔の嵌合により中折れ側板が折り曲げ可能に構成され、係合片に外れ防止用突起が設けられているものも知られている（引用文献２）。
【０００４】
ところで、このような折り畳み式コンテナでは、通常使用場所にコンテナを折り畳んだ状態で運送するため、折り畳んだ状態のコンテナを最もコンパクトな形にして一回の運送でより多くのコンテナを移動できるようにして、コンテナの運送費を合理化する必要がある。
【特許文献１】特開２００１−２６１０３６号公報
【特許文献２】特開平１１−２５５２３５号公報
【発明の開示】
【発明が解決しようとする課題】
【０００５】
本発明は、このような点に鑑みてなされたものであり、その目的とするところは、折り畳んだ状態のコンテナを最もコンパクトな形にして一回の運送でより多くのコンテナを移動できる折り畳み式コンテナを提供することである。
【課題を解決するための手段】
【０００６】
上記した課題を解決するために、本発明の請求項１に係る折り畳み式コンテナは、略矩形の平板状部材からなる底板と、前記底板の四周から立設される側板とを有し、前記側板はそれぞれ相異なる高さで折り畳みできるとともに、前記底板上に積み重ね可能に形成されていることを特徴とする。
【０００７】
本発明の請求項２に係る折り畳み式コンテナは、折り畳み時に最上方に積み重ねられる側板が、自立可能に形成されるものであることを特徴とする。
【発明の効果】
【０００８】
本発明の請求項１に係る折り畳み式コンテナによると、底板の四周から立設される側板は、それぞれ相異なる高さで折り畳みできるとともに、前記底板上に積み重ね可能に形成されているので、折り畳み後の側板は底板上に積み重ねられて、コンテナは最もコンパクトな形に折り畳まれることになる。そのため、一回の運送でより多くのコンテナを移動できることが可能となる。
【０００９】
本発明の請求項２に係る折り畳み式コンテナによると、請求項１に記載の効果に加えて、折り畳み時に最上方に積み重ねられる側板は、自立可能に形成されるものであるので、折り畳み状態から組み立てる際に、まず最初に立ち上げる側板が安定的に立設して倒れないため、組立て時の作業性が良好となる。
【発明を実施するための最良の形態】
【００１０】
本発明の実施形態を図１及び図２に基づいて説明する。図１及び図２において、２は底板、３ａ、３ｂ、４ａ、４ｂは側板、５ａ〜５ｄは固定支柱、６ａ〜６ｄは可動支柱である。
【００１１】
図１は、本実施形態における折り畳み式コンテナの組立て手順の概要を示す斜視図である。同図に示すように、本実施形態における折り畳み式コンテナは、略矩形の平板状部材からなる底板２と、底板２の四周から立設される側板３ａ、３ｂ、４ａ、４ｂと、底板２の四隅に、底板２と連結して設置される固定支柱５ａ〜５ｄとから構成される。
【００１２】
同図（ａ）に示すように、略四角柱状部材からなる固定支柱５ａ〜５ｄは、底板２上に側板３ａ、３ｂ、４ａ、４ｂを積み重ねた場合の高さよりもやや高くなるように形成され、折り畳んだ状態で積み重ねても側板が、上方に積み重ねられた別のコンテナの底板に当たらないようになっている。
【００１３】
立設状態で相対向する側板３ａ、３ｂのそれぞれの左右両端には、固定支柱５ａ〜５ｄと断面形状が略同一の可動支柱６ａ及び６ｄと、６ｂ及び６ｃとが全長にわたって固着されて、これらは側板３ａ、３ｂと一体に折り曲げられる。
【００１４】
側板３ａの左右両端に固着される可動支柱６ａ、６ｄは、それぞれ固定支柱５ａ、５ｄに軸支されて、側板３ａは固定支柱５ａ、５ｄに対して内方（底板２側）に折り畳み可能に形成されている。同様に、側板３ｂの左右両端に固着される可動支柱６ｂ、６ｃは、それぞれ固定支柱５ｂ、５ｃに軸支されて、側板３ｂは固定支柱５ｂ、５ｃに対して内方に折り畳み可能に形成されている。
【００１５】
また、側板３ａ、３ｂを折り畳み状態から立ち上げて完全に立設した状態では、可動支柱６ａ〜６ｄは、軸支される可動支柱４ａ〜４ｄに固定される。そのため、側板３ａ、３ｂは、作業者が支えなくても立設できる自立状態を確保することができる。この状態では、可動支柱６ａ〜６ｄと、これらを固定する可動支柱４ａ〜４ｄは、外観上、連続一体に立設されているように形成されている。
【００１６】
可動支柱６ａ、６ｄが固定支柱５ａ、５ｄに軸支される位置は、可動支柱６ｂ、６ｃが固定支柱５ｂ、５ｃに軸支される位置よりも、側板３ｂの板厚程度高くなっている。そのため、側板３ａは、側板３ｂよりも高い位置で折り畳まれる。
【００１７】
なお、側板３ａ、３ｂの高さは、側板４ａ、４ｂが立設する側の底板２の辺長さよりも短くなるように形成され、相対向する側板３ａ、３ｂのうちの一方の側板が立設された状態で、他方の側板を折り曲げるときに、側板同士が接触しないような構成となっている。
【００１８】
同図（ｅ）に示すように、側板４ａは、左右両端の下方で固定支柱５ａ、５ｂに軸支されて、内方に折り畳み可能に形成されている。同様に、立設状態で側板４ａと対向する側板４ｂは、左右両端の下方で固定支柱５ｃ、５ｄに軸支されて、内方に折り畳み可能に形成されている。
【００１９】
側板４ｂが固定支柱５ｃ、５ｄに軸支される位置は、側板４ａが固定支柱５ａ、５ｂに軸支される位置よりも、側板４ａの板厚程度高く、（側板３ｂに固着する）可動支柱６ｂ、６ｃが固定支柱５ｂ、５ｃに軸支される位置よりも、側板３ｂの板厚程度低くなっている。
【００２０】
また、側板４ａが固定支柱５ａ、５ｂに軸支される位置は、底板２の上面よりも、側板４ａの板厚程度高く、折り畳んだ状態で、内側面の略全面が底板２の上面に当接するようになっている。
【００２１】
なお、側板４ａ、４ｂの高さは、側板３ａ、３ｂが立設する側の底板２の辺長さよりも短くなるように形成され、相対向する側板４ａ、４ｂのうちの一方が立設された状態で、他方の側板を折り曲げるときに、側板同士が接触しないような構成となっている。
【００２２】
以上のように、側板３ａ、３ｂ、４ｂ、４ａは、この順番で軸支される位置が高くなっているとともに、積み重ね可能に形成され、また、折り畳まれた状態では、積み重ねられる他の側板に対して略平行な関係が保てるようになっている。このような構成にすることにより、コンテナは最もコンパクトな形に折り畳まれることになる（同図（ａ）参照）。そして、折り畳まれたコンテナは、図２に示すように積み重ねられ、一回の運送でより多くのコンテナを移動できることが可能となる。
【００２３】
次に、以上のように構成される折り畳み式コンテナの組立て手順について説明する。同図（ａ）に示すように、本実施形態における折り畳み式コンテナは、下から側板４ａ、４ｂ、３ｂ、３ａの順で積み重ねられている。
【００２４】
この状態で、まず最上方に積み重ねられる側板３ａを立ち上げて立設させる（同図（ｂ）参照）。上述したように、側板３ａは自立可能に形成されているため、折り畳み状態から組み立てる際に、まず最初に立ち上げる側板３ａが安定的に立設して倒れないため、組立て時の作業性が良好となる。
【００２５】
次に、同図（ｃ）に示すように、側板３ａと対向する側板３ｂ立ち上げて立設させる。この側板３ｂも自立可能に形成されているため、側板３ｂより下方に積み重ねられる他の側板を立ち上げる際に、側板３ｂが安定的に立設して倒れないため、組立て時の作業性が良好となる。
【００２６】
この状態で、側板４ｂを立ち上げて立設させ、ボルトやネジ等の係止具により、側板４ｂの左右両端を可動支柱６ｃ、６ｄや固定支柱５ｃ、５ｄに固定する（同図（ｄ）参照）。
【００２７】
そして最後に、側板４ａを立ち上げて立設させ、ボルトやネジ等の係止具により、側板４ａの左右両端を可動支柱６ａ、６ｂや固定支柱５ａ、５ｂに固定して組立てを完成させる（同図（ｅ）参照）。なお、組み立てたコンテナを折り畳む際には、この逆の手順でおこなう。
【図面の簡単な説明】
【００２８】
【図１】本発明の実施形態における折り畳み式コンテナの組立て手順の概要を示す斜視図である。
【図２】折り畳まれた折り畳み式コンテナが積み重ねられる状態の概略を示す斜視図である。
【符号の説明】
【００２９】
２    底板
３ａ、３ｂ  側板
４ａ、４ｂ  側板
【図１】
2005335745.tif 000003
【図２】
2005335745.tif 000004